(57)【特許請求の範囲】
【請求項１】
ガスコンロ前面の操作手段を覆うように形成されると共に、開閉可能に形成されたカバー本体と、
前記ガスコンロに対して着脱可能なベース部と、
前記ベース部の端部から起立しており、前記カバー本体を少なくとも閉止状態にて固定支持する支持部と
を備え、
前記カバー本体の一端が前記支持部に対して回動自在に固定されるとともに、前記支持部及びカバー本体のいずれか一方に形成した係合部が、他方に形成した被係合部と係脱する構成とした
ことを特徴とする危険防止用カバー。
【請求項２】
前記係合部が係合片であり、前記被係合部が係合穴であることを特徴とする請求項１に記載の危険防止用カバー。
【請求項３】
前記支持部は弾性を有する合成樹脂にて、上部が開口した略Ｕ字状のフレームとして形成され、
前記略Ｕ字状のフレームは、このフレームの互いに平行に伸びる脚片からそれぞれ内方に伸びる一対の延長部と、これらの延長部の先端からそれぞれ前記カバー本体側に向かって曲折して設けられた一対の爪片とを有し、
前記カバー本体は、前記一対の爪片と係合すべき係合穴を備えていることを特徴とする請求項２に記載の危険防止用カバー。
【請求項４】
前記ベース部はプレート状に形成され、ガスコンロが載置される載置台の上面に固定されることを特徴とする請求項１ないし３のいずれかに記載の危険防止用カバー。
【請求項５】
前記支持部はカバー本体の一端を回動自在に支持する軸受け部を有し、この軸受け部は、カバー本体を閉止した状態で上下方向に移動し得る構成とされており、
且つ前記カバー本体には、支持部側に向かって伸びる係合片が形成されており、カバー本体を閉止した状態において、このカバー本体を下動することにより前記係合片が支持部側の係合穴に係合される構成としたことを特徴とする請求項２に記載の危険防止用カバー。
【請求項６】
前記支持部は上部が開口された略Ｕ字状のフレームでなり、この略Ｕ字状のフレームの互いに平行な脚片にそれぞれ前記係合穴が形成されていることを特徴とする請求項５に記載の危険防止用カバー。
【請求項７】
前記支持部は軸受け穴としての長穴が形成された軸受け部を有し、前記カバー本体の一端に形成された枢軸が回動しながらこの長穴の長径を移動することにより、前記カバー本体が閉止状態で固定される構成としたことを特徴とする請求項１に記載の危険防止用カバー。
【発明の詳細な説明】
【０００１】
【産業上の利用分野】
本発明は、卓上のガスコンロ等の操作レバーや操作スイッチを覆うことにより、幼児等がこれらを誤って操作することを防止するための危険防止用カバーに関するものである。
【０００２】
【従来の技術】
従来、家庭で用いられるガスコンロ等のガス器具は、家庭内の台所等幼児の生活空間に近い場所におかれることが多い。
このため、幼児の世話をする母親が、例えば食器をとったり、冷蔵庫を覗いたりしていて、幼児から目を離している隙に、幼児はガスコンロの操作レバーに手を伸ばし、いたずらしてしまうことがある。
【０００３】
【発明が解決しようとする課題】
幼児のこのような行為は事故や火災につながるため大変危険であり、これを防止する有効な対策がのぞまれている。
これに対して、一部のガスコンロではチャイルドロック機構を内蔵しているが、このようなチャイルドロック機構は、ガスコンロの使用中には動作せず、ガスコンロを使用していないときに、幼児等のいたずらを防止することを目的としている。
しかもチャイルドロック機構を設けるには、コストもかかることから、全てのガスコンロについて採用されているわけではない。
【０００４】
このため、ガスコンロを使用しないときは、そのつど母親がガス栓を閉めるといった行動を必要としていた。
しかし、ガス栓を閉めるとガスコンロを使用できないことから、使用中，つまり料理等をしているときに、幼児がガスコンロの操作レバーを誤って操作するという事態を有効に防ぐことができない。
【０００５】
本発明は、以上の点に鑑み、簡単に着脱でき、しかもガスコンロの使用中であっても、幼児が操作手段をいたずらすることを有効に防止できるとともに、種類のことなるガスコンロに広く使用できるガスコンロの危険防止用カバーを提供することを目的とする。
【０００６】
【課題を解決するための手段】
上記目的は、本発明によれば、少なくともガスコンロの操作手段を覆い得る大きさに形成されると共に開閉可能に形成されたカバー本体と、前記ガスコンロに対して着脱可能なベース部と、前記ベース部の端部から起立しており、前記カバー本体を少なくとも閉止状態にて固定支持する支持部とを備え、前記カバー本体の一端が前記支持部に対して回動自在に固定されるとともに、前記支持部及びカバー本体のいずれか一方に形成した係合部が、他方に形成した被係合部と係脱する構成とした、危険防止用カバーにより、達成される。
また、前記係合部を係合片とし、前記被係合部を係合穴として構成してもよい。
【０００８】
また、本発明の危険防止用カバーの前記支持部は弾性を有する合成樹脂にて、上部が開口した略Ｕ字状のフレームとして形成され、前記略Ｕ字状のフレームは、このフレームの互いに平行に伸びる脚片からそれぞれ内方に伸びる一対の延長部と、これらの延長部の先端からそれぞれ前記カバー本体側に向かって曲折して設けられた一対の爪片とを有し、前記カバー本体は、前記一対の爪片と係合すべき係合穴を備えるように構成してもよい。
【０００９】
さらに、本発明の危険防止用カバーでは、前記ベース部は、プレート状に形成され、ガスコンロが載置される載置台の上面に固定される構成としてもよい。
【００１０】
さらに、本発明の危険防止用カバーの前記支持部は、カバー本体の一端を回動自在に支持する軸受け部を有し、この軸受け部は、カバー本体を閉止した状態で上下方向に移動し得る構成とされており、且つ前記カバー本体には、支持部側に向かって伸びる係合片が形成されており、カバー本体を閉止した状態において、このカバー本体を下動することにより前記係合片が支持部側の係合穴に係合される構成としてもよい。
【００１１】
また、本発明の危険防止用カバーの前記支持部は、上部が開口された略Ｕ字状のフレームでなり、この略Ｕ字状のフレームの互いに平行な脚片にそれぞれ前記係合穴を形成するようにしてもよい。
【００１２】
また、本発明の危険防止用カバーの前記支持部は、軸受け穴としての長穴が形成された軸受け部を有し、前記カバー本体の一端に形成された枢軸が回動しながらこの長穴の長径を移動することにより、前記カバー本体が閉止状態で固定される構成とすることができる。
【００１３】
【作用】
上記構成によれば、カバー本体が閉止状態においてガスコンロの少なくとも操作部，即ち操作ボタンやスイッチ類を覆うので、乳幼児がこれらを悪戯することを防止できる。
この場合、カバー本体は前記支持部により閉止状態で固定されるから、カバー本体はガスコンロの操作部等を覆った状態を安定して維持できる。
さらに、ガスコンロの操作部等を操作する必要がある場合には、前記カバー本体を開くことにより、この操作部を露出させることができる。
【００１４】
【実施例】
以下、この発明の好適な実施例を添付図面を参照しながら、詳細に説明する。尚、以下に述べる実施例は、本発明の好適な具体例であるから、技術的に好ましい種々の限定が付されているが、本発明の範囲は、以下の説明において特に本発明を限定する旨の記載がない限り、これらの態様に限られるものではない。
【００１５】
図１及び図３は、本発明による危険防止用カバーの第一の実施例を示している。
図１の危険防止用カバー１０は、例えば図２に示すようなガスコンロ６に装着される。
図２において、ガスコンロ６は、例えば家庭のキッチン等に設備されるガスコンロ６の載置台５の上に載置される。即ち、載置台５は、調理台等にガスコンロ６を収容するための大きさでなる凹所が形成されている。
【００１６】
このガスコンロ６は、本体上部に設けられ周囲に庇を形成した天板９と、この天板９に設けたガスバーナ用開口にゴトク８，８とを有している。
ガスコンロの本体の前面４には、左右にそれぞれ操作手段としてのレバーやダイヤルやスイッチ類７が形成され、中央付近にはグリル７ａが設けられている。この図の場合、本実施例の危険防止用カバー１０は、ガスコンロ６の前面の右側のスイッチ類を覆うように装着されている。
【００１７】
図１は危険防止用カバー１０の斜視図、図３はその断面図である。
これらの図において、危険防止用カバー１０は、全体もしくはカバー本体が熱硬化性の合成樹脂，例えばフェノール，または熱可塑性の合成樹脂，例えばスチレンマレイミド系樹脂，難燃性のポリプロピレン（ＰＰ），アクリロニトリル・タジエン・スチレン共重合体（ＡＢＳ）等により形成され、ベース部１１と、このベース部１１から起立するように一体に形成された支持部１３と、この支持部１３に回動自在に軸止されたカバー本体１６とを有している。
【００１８】
べース部１１は、図１及び図３に示されているように、所定の面積を有するプレート状に形成されている。このベース部１１は、図３に示すように、ガスコンロ６とコンロ載置台５の間に配設され、支持部１３及びカバー本体１６を支えるようになっている。
このため、ベース部１１は、好ましくは、その下面に両面テープ等が適用されて、コンロ台５と接着され、危険防止用カバー１０を安定的に支持するようになっている。
【００１９】
支持部１３は、全体としてある程度の弾性を有する材料，例えば、スチレンマレイミド系樹脂，ポリプロピレン，アクリロニトリル・タジエン・スチレン共重合体等のうち好ましくは、難燃性を備えたもの，もしくは熱可塑性を有するものにより形成されており、図３に示すように、上記ベース部１１の一端からガスコンロ側にやや傾斜して起立するように設けられている。
この支持部１３は、図１に示すように上部が開いた略Ｕ字状のフレームでなっており、互いに平行に上方に伸びる脚片１４，１５を備えている。この脚片１４，１５は、後述するように、カバー本体１６を閉じたときに、これと当接して、固定するようになっている。
【００２０】
このため、脚片１４，１５の中間付近には内方に向かってそれぞれ伸びる延長部１４ａ，１５ａと、これらの延長部１４ａ，１５ａの先端側がカバー本体１６側に曲折されて形成された爪片１４ｂ，１５ｂが形成されている。
これら爪片１４ｂ，１５ｂには先端部には、それぞれ外側面が先端にいく程内方に傾斜した傾斜面を有する傾斜段部１４ｃ，１５ｃが設けられている。これにより、後述するようにカバー本体１６に形成した係合穴に爪片１４ａ，１５ａが挿入され、傾斜段部１４ｃ，１５ｃがこの係合穴の周縁部と係合して、カバー本体１６は閉止状態で、支持部１３に対して固定されるようになっている。
【００２１】
また、この支持部１３の下部１３ｂは、図３に示されているように、傾斜もしくは面取りされている。これにより、支持部１３を含む危険防止用カバー１０をガスコンロ６の前面に配置したとき、ガスコンロ６の下部の突出部６ａと干渉しないようになっている。
さらに、支持部１３の下部には軸受け部１３ｃが形成されており、後述するカバー本体１６の軸１６ａが回動自在に装着されるようになっている。
【００２２】
カバー本体１６は、全体が平板状に形成されることによって、カバー本体１６が覆うスイッチやレバー等に乳幼児が手を伸ばしても触れることができないようにするためのものである。
このため、全体として平板状のプレートとして形成されていると共に、図３の閉止状態で上となる箇所（図１では下部）を除き折り返し部１７により囲まれている。これにより、カバー本体１６を閉止したとき、このカバー本体１６の内部には空間Ｓ１が画成され、空気が捕らえられるようになっている。
この空間Ｓ１の空気層によって、図３の状態でガスコンロ６側からの熱がカバー本体１６に伝わりにくいようになっている。
ここで、このカバー本体１６を含む危険防止用カバー１０の構成部材は、ガスコンロという燃焼器具の近傍に配置されるものであるから、通常の熱可塑性樹脂で形成するのは、構成部材によっては好ましくない。
即ち、調理の炎や調理用油等が移った場合に、構成部材自体が発火しやすい樹脂であると、危険である。このような点を考慮すると、安全のためには、前述したように熱硬化性の合成樹脂，例えばフェノール，または熱可塑性の合成樹脂，例えばスチレンマレイミド系樹脂，難燃性のポリプロピレン（ＰＰ），アクリロニトリル・タジエン・スチレン共重合体（ＡＢＳ）等、熱硬化性樹脂や難燃性を有する熱可塑性樹脂を用いるのが好ましい。
【００２３】
また、図３に示すように、カバー本体１６の上部は開放箇所１７ａとなっている。これによって、図示されているように危険防止用カバー１０をガスコンロ６に装着したとき、天板ないし庇９がカバー本体１６と干渉することがないようになっている。
このため、ガスコンロ６のタイプが多少異なるものであっても、当該ガスコンロ６の天板等の部位と干渉することなく、使用できるようになっている。
尚、図３において、カバー本体１６の上下方向の長さをさらに長く形成すれば、天板９の上のゴトクや、その上の調理器具までも覆うように構成することができる。
【００２４】
さらに、カバー本体１６には一対の係合穴１８ａ，１８ｂが設けられている。この係合穴１８ａ，１８ｂは図３に示されているように、カバー本体１６を閉めたときに、支持部１３の爪部１４ｃ，１５ｃに対応する箇所に形成されている。このため、図１に示すように、カバー本体１６を矢印方向に回動させて図４に示すように閉止状態としたとき、各爪片１４ｂ，１５ｂの傾斜段部１４ｃ，１５ｃが係合穴１８ａ，１８ｂの周縁部に係止され、このカバー本体１６を閉止状態で固定できるようになっている。
【００２５】
本実施例は以上のように構成されており、次にその作用ならびに使用の方法を説明する。
本実施例の危険防止用カバー１０を、図２に示すように、ガスコンロ６の操作手段を覆い得る位置に装着する。図示の場合、ガスコンロ６の右側の操作レバー類を覆う位置に合わせて、ガスコンロ６と載置台５との間にベース部１１を装着する（図３参照）。
尚、危険防止用カバー１０をガスコンロ６の中央付近に装着すればグリル部分を覆うことができ、より左側に装着すれば、別の操作手段を覆うことができる。
【００２６】
これにより、図１の状態、即ちカバー本体１６を開放した状態では、支持部１３のＵ字状の脚片１４，１５は、ガスコンロ６前面の操作手段の左右に延びており、使用者によるレバー等の操作を妨げることはない。
次に、カバー本体１６を軸１６ａを中心に図１の矢印方向に回動させて、図３に示すように閉止する。
この場合、支持部１３の爪片１４ｃ，１５ｃはカバー本体１６の係合穴１８ａ，１８ａに強制的に挿入されることにより、これら各爪片１４ｃ，１５ｃは図１に矢印で示すように内方へ撓み、各傾斜段部は係合穴１８ａ，１８ｂの周縁を乗り越えて、この周縁部に係止される。
これにより、図４に示すようにカバー本体１６は、完全に閉止された状態において固定されるので、乳幼児等がガスコンロ６の操作レバー等に触れることはできない。
【００２７】
かくして、ガスコンロ６によって調理を行う等して使用中である場合にも、その操作レバー等を乳幼児がみだりに触れて、危険な操作をしてしまうといった事態を有効に回避できる。
しかも、ベース部１１を両面テープでコンロ台に接着するだけで取り付けることができ、ガスコンロ等の燃焼装置に設けるチャイルドロック機構等に比べると装着の費用もかからず簡単に取付けることができる。
【００２８】
尚、上述の実施例においては、ガスコンロの操作手段の一部を覆う例を示しているが、略同一の構造にて、より大きな危険防止用カバーを形成すればガスコンロの全ての操作手段を覆うことができる。
【００２９】
図５乃至図１０は、本発明の危険防止用カバーの第二の実施例を示している。
図５は、危険防止用カバーのベース部２１と支持部２３とを示している。
このベース部２１は、第一の実施例と略同じ構成である。
支持部２３は、上記ベース部２１から起立するように、且つガスコンロ（図示せず）側にやや傾斜して設けられている。この支持部２３は、上部が開口された略Ｕ字状のフレームでなっている点は第一の実施例と同様である。
【００３０】
本実施例では、この支持部２３は、下部に図５及び図７に示すような軸受け部２３ａを備えている。この軸受け部は後述するカバー本体２６の一端部に設けたダボを受容するものである。
さらに、支持部２３の互いに平行に伸びる脚片２４，２５の上部には、後に詳しく述べるカバー本体２６の係合フックと係合する係合穴２６，２７が形成されている。
【００３１】
即ち、この軸受け部２３ｃは、図７に示すように上部２３ｄが開口されており、この開口からカバー本体２６の一端（下端）に形成された枢軸としてのダボ（図６参照）２６ａを受容し得るようになっている。
軸受け部２３ｃの底部は上記ダボ２６ａを鎖線で示す上方位置（第１の位置）で保持する第１の段部２３ｅと、実線で示すように、これより奥側（ガスコンロ側）で、下方位置（第２の位置）にて保持する第２の段部２３ｆとを備えている。そして、これら段部２３ｅ，２３ｆは、ダボ２６ａが回動し得るように曲面を有している。
【００３２】
カバー本体２６は、図６及び図１０に示されている。図６はカバー本体２６を裏から見た図であり、プレート状でなる遮蔽部の周囲に形成した、折り返し部２７，２７には、支持部２３に向かって伸びる係合フック２８，２８が形成されている。
また、カバー本体２６の下端には、上述した枢軸としてのダボ２６ａ，２６ａが形成されている。カバー本体２６は、このダボ２６ａ，２６ａが、上記支持部２３の軸受け部２３ｃに回動自在に装着される。
さらに、カバー本体２６は、図１０に示すように、前面に使用者の手を入れるための把手２９が形成されている。
尚、第一の実施例と同様の理由により、カバー本体２６の上部を開口させてもよい。
【００３３】
このように構成されたカバー本体２６の枢軸としてのダボ２６ａを支持部２３の軸受け部２３ａにはめ込み、カバー本体２６を支持部２３側に回動させると、その係合フック２８，２８が支持部２３の係合穴２６，２７に受容される。この場合、カバー本体２６が上述の第１の位置にあるときには、図８に示すように係合フック２８，２８は係止されない。
カバー本体２６が第１の位置よりさらに回動して第２の位置に至ると、ダボ２６ａは軸受け部２３ｃ内で、段部２３ｅから２３ｆに移動するので、カバー本体２６は全体として下動し、図９に示すように係合フック２８，２８のフック部２８ａ，２８ａは、係合穴の垂直段部２６ａ，２７ａに係止されるようになっている。
【００３４】
第二の実施例は以上のように構成されており、本実施例の危険防止用カバーを、第一の実施例と同様に、ガスコンロ６（図２参照）の操作手段を覆い得る位置に装着する。
【００３５】
カバー本体２６が開放されている状態では、支持部２３のＵ字状の脚片２４，２５は、ガスコンロ６前面の操作手段の左右に延びることとなり、使用者によるレバー等の操作を妨げることはない。
次に、カバー本体２６を軸２６ａを中心に回動させると、上述のようにカバー２６は僅かに下動し、カバー２６の係合フック２８，２８が支持部２３の係合穴に係合される。これにより、カバー本体２６は、閉止状態で支持部２３に固定されるので、乳幼児等がカバー本体２６にふれても容易にこれを開くことはできない。
【００３６】
かくして、第一の実施例と同様にガスコンロ６によって調理を行う等して使用中である場合にも、その操作レバー等を乳幼児がみだりに触れて、危険な操作をしてしまうといった事態を有効に回避できる。
しかも、ベース部２１を両面テープでコンロ台に接着するだけで取り付けることができ、ガスコンロ等の燃焼装置に設けるチャイルドロック機構等に比べると装着の費用もかからず簡単に取付けることができる。
【００３７】
図１１は、本発明の危険防止用カバーの第三の実施例をガスコンロ６に装着した状態を示している。
図示されているように、この危険防止用カバー３０は、縦横に大きなカバー本体３６を有しており、ガスコンロ６の前面側の操作パネルをほぼ全て覆い隠すと共に、ガスコンロ６のゴトクや調理器具までもカバーしている。
【００３８】
図１２及び図１３は、この危険防止用カバー３０の固定構造を示しており、これらの図では理解の便宜のためカバー本体３６は簡略化して示している。
図において、カバー本体３６は、支持部３３に対して回動自在に固定されている。
本実施例では、支持部３３はカバー本体３６の両側にひとつづつそれぞれ配置されていおり、共通する構造である。即ち、支持部３３は、軸受け部３３ａを有し、さらに、後方（図１１においてガスコンロ側）にフレーム状に延在するベース部３１を有している。
このベース部３１を図１１のコンロ台５の上面に両面テープ等により接着することにより、本実施例の危険防止用カバー３０をガスコンロ６の前面に配置固定することができる。
【００３９】
カバー本体３６は、基本的には第一及び第二の実施例と共通の構造であり、カバー面積は上述のように大きく形成されている。
このカバー本体３６の下端部には枢軸となるダボ３６ａが一体に形成されており、このダボ３６ａは、支持部２３の軸受け部３３ａに回転自在に固定されている。
即ち、カバー本体３６は、この軸受け部３３ａにて支持されつつ、ダボ３６ａを中心に回動することにより、開状態から閉止状態まで可動できるようになっている。
さらに、カバー３６の下端部には、上記支持部３３の軸受け部３３ａに関連して図１３において右端部にテーパを有する係合板３５が設けられてる。
【００４０】
一方、支持部３３の軸受け部３３ａは、図１３に示されているように、斜めに傾斜して延びる長穴３３ｂが形成されている。この長穴２３ｂに上記カバー本体３６のダボ３６ａが挿入されている。
さらに、軸受け部３３ａは、下端付近が斜めに切れ込んだ切り込み部３３ｃを備えている。この切り込み部３３ｃの上部には曲面でなる案内面３３ｄが形成されている。
【００４１】
これにより、カバー本体３６が開いた状態にある時には、上記係合板２３ｄは軸受け部３３ａの案内面３３ｄに当接しつつ案内される。この際、カバー本体３６のボス３６ａは長穴３３ｂの上端に移動していて、図において鎖線で示す第１の位置にあって回動できるようになっている。
これにより、カバー本体３６は、矢印Ａに示す方向に回動して閉止方向に移動する。そして、係合板３５が曲面３３ｄの下端を外れると、カバー本体３６は下動し係合板３５のテーパ状の先端が、切り込み部３３ｃに嵌入する。そして、カバー本体３６は実線で示すように閉止状態この状態において、図１３に示すように係合板３５は切り込み部３３ｃにより係止される（第２の位置）ようになっている。
【００４２】
この第三の実施例は以上のように構成されており、本実施例の危険防止用カバーを、第一の実施例と同様に、ガスコンロ６（図１１参照）の操作手段を覆い得る位置に装着する。
【００４３】
カバー本体３６が開放されている状態では、その内側にはなにもなく、使用者によるレバー等の操作を妨げることはない。
次に、カバー本体３６を軸（ダボ）３６ａを中心に回動させると、上述のようにカバー本体３６は僅かに下動し、カバー本体３６の係合板３５が支持部３３の切り込み部３３ｃに係合される。これにより、カバー本体３６は、閉止状態で支持部３３に固定されるので、乳幼児等がカバー本体３６にふれても容易にこれを開くことはできない。
【００４４】
かくして、この第三の実施例は、第一の実施例と同様にガスコンロ６によって調理を行う等して使用中である場合にも、その操作レバー等を乳幼児がみだりに触れて、危険な操作をしてしまうといった事態を有効に回避できる。
しかも、ベース部３１を両面テープでコンロ台に接着するだけで取り付けることができ、ガスコンロ等の燃焼装置に設けるチャイルドロック機構等に比べると装着の費用もかからず簡単に取付けることができる。
しかも、図１４に示すように、カバー３６は高さ方向にも大きく形成されているので、ガスコンロ６の操作手段だけでなく、ゴトクや調理器具も含めて遮蔽することができる。したがって、乳幼児が料理中にこれら調理器具やゴトクに触れて、火傷するといったことを有効に防止できる。
【００４５】
【発明の効果】
以上述べたように、本発明によれば、簡単に着脱でき、しかもガスコンロの使用中であっても、幼児が操作手段をいたずらすることを有効に防止できるとともに、種類のことなるガスコンロに広く使用できるガスコンロの危険防止用カバーを提供することができる。
【図面の簡単な説明】
【図１】本発明による危険防止用カバーの第一の実施例の構成を示す斜視図である。
【図２】図１の危険防止用カバーをガスコンロに装着した状態を示す図である。
【図３】図１の危険防止用カバーのを閉止した状態の概略断面図である。
【図４】図１の危険防止用カバーのを閉止した状態の概略斜視図である。
【図５】本発明の危険防止用カバーの第二の実施例に係るベース部及び支持部を示す概略斜視図である。
【図６】図５の危険防止用カバーのカバー本体を示す斜視図である。
【図７】図５の危険防止用カバーの軸受け部を示す拡大断面図である。
【図８】図５の支持部に設けた係合穴の構造を示す図である。
【図９】図５の支持部に設けた係合穴の構造を示す図である。
【図１０】図５の危険防止用カバーのカバー本体を示す斜視図である。
【図１１】本発明の危険防止用カバーの第３の実施例を示す斜視図である。
【図１２】図１１の危険防止用カバーの係合構造を示す概略斜視図である。
【図１３】図１１の危険防止用カバーの係合構造を示す概略断面図である。
【図１４】図１１の危険防止用カバーの使用状態を示す側面図である。
【符号の説明】
５    ガスコンロの載置台
６    ガスコンロ
９    天板
１０    危険防止用カバー
１１    ベース部
１３    支持部
１４    脚片
１５    脚片
１６    カバー本体
【図１】
0003599803.tif 000002
【図２】
0003599803.tif 000003
【図３】
0003599803.tif 000004
【図４】
0003599803.tif 000005
【図５】
0003599803.tif 000006
【図６】
0003599803.tif 000007
【図７】
0003599803.tif 000008
【図８】
0003599803.tif 000009
【図９】
0003599803.tif 000010
【図１０】
0003599803.tif 000011
【図１１】
0003599803.tif 000012
【図１２】
0003599803.tif 000013
【図１３】
0003599803.tif 000014
【図１４】
0003599803.tif 000015